(57)【要約】【課題】皮膚が被毛で覆われた動物の体脂肪率を簡便かつ正確に測定することができる。【解決手段】動物用体脂肪測定具１０は、一つの平面上に並設され、動物の体の一部に押し付けて用いられる一対の絶縁電極体２０と、電極体２０と電気的に接続し、かつ電極体２０間に電圧を印加することで電極体２０間の静電容量の算定が可能な算定部３０と、算定部３０で算定された静電容量から体脂肪を演算する演算部４０と、演算部４０で演算された結果を表示する表示部５０とを具備する。一対の電極体２０間に間隙が設けられており、かつ該間隙が固定されている。【選択図】図１
2010099182.tif 000002
【特許請求の範囲】
【請求項１】
静電容量を計測することで動物の体脂肪を測定する動物用体脂肪測定具であって、
一つの平面上に並設され、動物の体の一部に押し付けて用いられる一対の絶縁電極体と、
前記電極体と電気的に接続し、かつ該電極体間に電圧を印加することで該電極体間の静電容量の算定が可能な算定部と、
前記算定部で算定された静電容量から体脂肪を演算する演算部と、
前記演算部で演算された結果を表示する表示部とを具備し、
前記一対の電極体間に間隙が設けられており、かつ該間隙が固定されている動物用体脂肪測定具。
【請求項２】
前記算定部が、前記一対の電極体間に、周波数が１ｋＨｚ〜１ＭＨｚの範囲のうちのいずれかの交流電圧を印加し得る構造になっている請求項１記載の動物用体脂肪測定具。
【請求項３】
前記一対の電極体間の間隙が０．１〜１０ｍｍに設定されている請求項１又は２記載の動物用体脂肪測定具。
【請求項４】
前記一対の電極体を動物の体の一部に押し付けるときの圧力を測定する手段を更に有し、該手段によって測定された押し付け圧が２０〜２００ｇ／ｃｍ2の範囲で体脂肪の測定を行う請求項１ないし３のいずれかに記載の動物用体脂肪測定具。
【請求項５】
圧力を測定する前記手段を少なくとも１つ有し、これらの手段がホイートストーンブリッジ回路の一部、又は全部を構成している請求項４記載の動物用体脂肪測定具。
【請求項６】
前記一対の電極体のうち、少なくとも一方の電極体の面積が６３０〜２５００ｍｍ2である請求項１ないし５のいずれかに記載の動物用体脂肪測定具。
【請求項７】
前記電極体と、前記算定部と、前記演算部と、前記表示部とが一体化している請求項請求項１ないし６のいずれかに記載の動物用体脂肪測定具。
【請求項８】
請求項１ないし７のいずれかに記載の動物用体脂肪測定具を用い、動物の体の静電容量を計測して動物の体脂肪を測定する動物の体脂肪測定方法。
【発明の詳細な説明】
【技術分野】
【０００１】
本発明は、犬や猫を始めとする各種の動物の体脂肪を測定する測定具に関する。
【背景技術】
【０００２】
本出願人は先に、ペット用の小動物である犬や猫等の体脂肪を測定する装置として、生体インピーダンスを利用した体脂肪計を提案した（特許文献１参照）。この体脂肪計は、犬や猫等のペット用の小動物の体脂肪を、多くの手間を要することなく、容易にかつ精度良く測定することができるという利点を有する。
【０００３】
ところで、生体の体脂肪の測定方法には、上述の生体インピーダンスを利用した方法の他に、静電容量を利用した方法も知られている。例えば特許文献２には、複数の絶縁電極２１と、絶縁電極２１の１つの絶縁電極２１と他の絶縁電極２１間に電圧を印加して、各電極間の静電容量を計測する静電容量計測手段２３と、計測された静電容量に基づいて体脂肪量を算出する演算部３２と、算出された結果を表示する表示部４とを備えた体脂肪測定装置１が記載されている。絶縁電極２１は、被測定部Ｍである人体の皮膚面から絶縁された状態で配置・使用される。静電容量計測手段２３は、絶縁電極間２１の体組成分で定まる静電容量を回路に含む発振回路２の発振周波数を基にして静電容量を計測する。
【０００４】
静電容量を利用した測定に関しては、皮下脂肪中の含水率の測定方法も提案されている（特許文献３参照）。この方法では、内側電極３０と、これを被覆する絶縁体３１と、その外側に配置された外側電極３０とからなる同心円状のプローブが用いられる。このプローブを皮膚に当接させ、５０〜５００ＭＨｚの高周波を印加する。これによって測定される電気容量は、皮膚及び皮下脂肪の誘電率に比例する。この誘電率は、皮膚及び皮下脂肪中の含水率に比例する。しかしこの特許文献では、脂肪中の水分量を測定する方法について述べられているのみで、皮下脂肪の量や体脂肪率の測定、特に犬や猫当の被毛で覆われた動物の体脂肪率の測定については何ら言及されていない。
【０００５】
【特許文献１】特開２００７−１９５９３１号公報
【特許文献２】特開２００５−１５２０６１号公報
【特許文献３】国際公開第２００４／１０５６０２号パンフレット
【発明の開示】
【発明が解決しようとする課題】
【０００６】
特許文献２のように静電容量の計測を行う場合、互いの電極の位置関係が変わらないことが重要である。これは、呼吸等にともなう互いの電極間のわずかな距離や角度の変化が静電容量の測定に影響を与えるからである。ヒトの場合には測定中のみ呼吸を止めることができるが、動物では不可能である。特に動物の場合、密集した不安定な被毛の上から電極を押し当てることになるため、電極の位置関係は容易に変化しやすい。このため静電容量の計測を動物に応用する場合、互いの電極の位置関係が固定されていることが必須である。よって特許文献２の体脂肪計は、ヒトの皮膚のように、皮膚が体毛で覆われていない場合には体脂肪の測定が可能であるが、ほぼ全身が被毛で覆われた犬や猫などを測定対象とした場合には、体脂肪の測定が非常に困難である。
本発明の目的は、皮膚が被毛で覆われた動物の体脂肪率を簡便かつ正確に測定し得る装置及び方法を提供することにある。
【課題を解決するための手段】
【０００７】
本発明は、静電容量を計測することで動物の体脂肪を測定する動物用体脂肪測定具であって、一つの平面上に並設され、動物の体の一部に押し付けて用いられる一対の絶縁電極体と、前記電極体と電気的に接続し、かつ該電極体間に電圧を印加することで該電極体間の静電容量の算定が可能な算定部と、前記算定部で算定された静電容量から体脂肪を演算する演算部と、前記演算部で演算された結果を表示する表示部とを具備し、前記一対の電極体間に間隙が設けられており、かつ該間隙が固定されている動物用体脂肪測定具を提供するものである。
【０００８】
また本発明は、前記の動物用体脂肪測定具を用い、動物の体の静電容量を計測して動物の体脂肪を測定する動物の体脂肪測定方法を提供するものである。
【発明の効果】
【０００９】
本発明によれば、皮膚が被毛で覆われた動物の体脂肪率を簡便かつ正確に測定することができる。
【発明を実施するための最良の形態】
【００１０】
以下本発明を、その好ましい実施形態に基づき図面を参照しながら説明する。本発明の動物用体脂肪測定具における「体脂肪」という語は、特別明記しない限り、「体脂肪率」と「体脂肪量（重量、体積）」の両方を含む概念である。
【００１１】
本発明においては、静電容量を利用して動物の体脂肪を測定する。ここで言う動物とは、家庭で飼育されている犬や猫等の動物（非ヒト哺乳類）を包含するのみならず、家庭外（例えば動物園等）で飼育されている動物（非ヒト哺乳類）も包含する広い概念である。これらの動物は一般に皮膚が被毛で覆われている。
【００１２】
静電容量を利用したセンサは、上述した特許文献３にも記載されているように、水分量の測定に多く用いられている。例えば、木材中の含水率の測定に用いられている。また、ヒトを対象とする場合には、美容、化粧品分野での皮膚の水分量の測定に用いられている。更に、魚や食肉類を対象とする場合には、含水率と脂肪率との間に高い相関があることを利用して、脂肪率の測定にも用いられている。前記のセンサは、測定対象物の誘電率の違いによる静電容量の変化を検出するものである。測定には一対の電極が用いられ、電極間に電界を形成することで静電容量を測定している。本発明においても一対の電極が用いられ、電極間に電界を形成することで静電容量を測定する。動物の身体を構成する物質である脂肪及び水の静電容量は、脂肪の方が水よりも約一桁小さい値である。したがって体脂肪が多いほど、測定される静電容量は小さくなる。
【００１３】
図１には、本発明の動物用体脂肪測定具（以下、単に「体脂肪測定具」とも言う。）の一実施形態のブロック構成図が示されている。同図に示す体脂肪測定具１０は、一対の絶縁電極体２０，２０と、静電容量の算定部３０と、演算部４０と、表示部５０とを具備する。これら各部は、一つの筐体（図示せず）内に収容されており、一体化している。以下、各部の詳細について説明する。
【００１４】
絶縁電極体２０は、第１の面とこれに並設された第２の面を有する平板状のものであり、一対で用いられる。２つの絶縁電極体２０は、動物の体の一部に押し付けて用いられるものである。２つの絶縁電極体２０は、その大きさや形状が同じでもよく、あるいは異なっていてもよい。一般に２つの絶縁電極体は同形でかつ同寸であり、同材質である。２つの絶縁電極体２０は、各種金属を始めとする導電性材料で構成されている。
【００１５】
図２には、本実施形態の体脂肪測定具１０における絶縁電極体２０付近の構成が模式的に示されている。２つの絶縁電極体２０は一つの平面上に並設されている。詳細には、２つの絶縁電極体２０はいずれも矩形をしており、その長手方向を一致させ、所定の間隙Ｄをおいて離間した状態で、これらを支持する平板２１の一面上に並設されている。絶縁電極体２０と平板２１とは、電気的に絶縁状態にある。平板２１は、適度な弾性を持つ材料から構成されている。
【００１６】
ところで、生体に一対の電極を接触させて静電容量を測定する場合、形成される電界は微弱であるので、その電界が及ぶ範囲は電極の近傍に限られてしまう。特に本発明のように体脂肪の測定対象が動物の皮膚下層組織である場合、該動物は被毛で覆われていることに起因して、これが体脂肪の測定に大きな障害となる。これらの不都合を克服するために本発明者らが鋭意検討したところ、本実施形態においては、絶縁電極体２０の寸法、すなわち電極面積を電極体１個当たり好ましくは６３０〜２５００ｍｍ2、更に好ましくは１２５０〜２５００ｍｍ2とすることで、静電容量が微弱であっても首尾よく体脂肪の測定を行うことができることが判明した。
【００１７】
また本実施形態においては、２つの絶縁電極体２０の間に設けられている間隙を適切に調整することでも、静電容量が微弱であるにもかかわらず首尾よく体脂肪の測定を行うことができることが判明した。特に本実施形態においては、２つの絶縁電極体２０間の距離が固定されていることが必要である。この距離が変化してしまうと、同じ個体（動物）でも静電容量の測定値に変動が生じる可能性があるからである。具体的には、２つの絶縁電極体２０の間の間隙Ｄを、隣り合う２つの絶縁電極体２０の全長にわたって一定の値に固定し、かつ間隙Ｄを好ましくは０．１〜１０ｍｍ、更に好ましくは０．１〜１ｍｍに設定することで、静電容量が微弱であっても首尾よく体脂肪の測定を行うことができることが判明した。
【００１８】
図１に示すように、２つの絶縁電極体２０は、プリント配線パターンや導線等によって算定部３０と電気的に接続している。算定部３０は、２つの絶縁電極体２０間に電圧を印加することで該絶縁電極体２０間の静電容量の算定が可能な構造になっている。算定部３０は、体脂肪測定具１０に備えられた中央制御部１２と電気的に接続されており、中央制御部１２からの指示によって動作するようになっている。算定部３０は、好適には２つの絶縁電極体２０間に交流電圧を印加することが可能な電子回路から構成されている。この目的のために、算定部３０は、体脂肪測定具１０に備えられた電源部１３とも電気的に接続されている。なお、電源部１３は中央制御部１２を駆動させるために、該中央制御部１２とも電気的に接続されている。電源部１３は電池であり得る。あるいは電源部１３はＡＣアダプタに接続され得る。本実施形態においては、２つの絶縁電極体２０間の測定部位をコンデンサに見立てて静電容量を測定するところ、絶縁電極体２０と測定部位との間に被毛が介在すると、絶縁電極体２０が物理的に皮膚から遠ざけられ、電界が皮下まで及ばない場合があり、静電容量を測定するうえで障害となりやすい。被毛の影響は特に周波数が高くなると顕著になることが本発明者らの検討の結果判明した。この不都合を解消するべく本発明者らが鋭意検討を行ったところ、２つの絶縁電極体２０間に印加する交流電圧の周波数を、好ましくは１ｋＨｚ〜１ＭＨｚ、更に好ましくは１０ｋＨｚ〜１ＭＨｚの範囲のいずれかとすることで、被毛の影響をクリアできることが判明した。
【００１９】
上述した周波数と異なり、２つの絶縁電極体２０間に印加する交流の電圧は、体脂肪の測定に臨界的なものではないことが本発明者らの検討の結果判明した。交流の電圧は一般に１〜１０Ｖ、特に５〜１０Ｖとすることが、体脂肪測定具のコンパクト化や可搬性を高める観点から好ましい。
【００２０】
静電容量の測定に、例えば回路構成が簡単な積分法を用いることができる。詳細には、絶縁電極体２０間に電圧をステップ状に印可し、絶縁電極体２０間の電圧が所定の一定値に到達するまでの充電時間から静電容量を求める。なお、静電容量の測定には、積分法に代えてインピーダンスブリッジやディップメータ等、他の方法を用いても良い。
【００２１】
このようにして算定部３０において算定された静電容量の値に基づき、演算部４０において体脂肪の値が演算される。具体的には、算定部３０において算定された静電容量の値の情報は、中央制御部１２を介して、該中央制御部１２に電気的に接続されている演算部４０へ送られる。演算部４０においては、静電容量の値の情報と、メモリ部１４に予め記憶されている基礎情報とを用いて、体脂肪を算出する。メモリ部１４は、体脂肪測定具１０の筐体内に他の部分とともに一体的に収容されており、中央制御部１２と電気的に接続されている。メモリ部１４は例えば不揮発性の記憶素子であり得る。
【００２２】
メモリ部１４には、体脂肪の算出に用いられる基礎データ、例えば重水希釈法や水中体重法、二重エネルギーＸ線吸収法、コンピューティッド・トモグラフィ法を用いて別途求められた体脂肪量と静電容量との相関関係が記憶されている。またメモリ部１４には、体脂肪の算出に必要な制御用データ等も記憶されている。本実施形態の体脂肪測定具は、動物の種類、大きさ等を問わず体脂肪の正確な測定が可能であるが、場合により、メモリ部１４に体脂肪を測定する動物の種類、性別、体重等が初期データとして記憶されていることにより、より精度良く体脂肪を算定することができるようになっている。
【００２３】
中央制御部１２からの指令によってメモリ部１４から読み出された各種データは演算部４０へ送られ、同じ中央制御部１２からの指令によって演算部４０において体脂肪の値が演算される。演算部４０は、そのような演算が可能な電子回路から構成されている。
【００２４】
演算部４０には以下に示す式（１）が予めプログラムされており、測定された静電容量から体脂肪率が即座に演算される。
体脂肪率（％）＝ＳＣ2＋ＴＣ＋Ｕ  （１）
式中、Ｃは静電容量（ピコファラッド（ｐＦ））を表し、Ｓ、Ｔ及びＵは絶縁電極体の面積、絶縁電極体間の間隙、周波数、電圧、押し当て圧力に関連した係数を表す。
なお、体脂肪率を計算する式は前記多項式に限らず、例えば対数、指数等で近似してもよい。
【００２５】
このようにして体脂肪の値が演算される。得られた体脂肪の値は、中央制御部１２を介して、該中央制御部１２に電気的に接続されている表示部５０へ送られる。表示部５０は、中央制御部１２からの指令によって体脂肪の値を表示する。表示部５０は、例えば発光ダイオード表示素子や液晶表示素子等からなる。表示部５０を駆動するために、該表示部５０は電源部１３に電気的に接続されている。
【００２６】
本実施形態の体脂肪測定具１０は、上述した各部に加え、歪みゲージ６０を備えている。歪みゲージは、絶縁電極体２０を動物の体の一部に押し当てるときに、その押し当ての圧力を測定して、圧力を一定にしたり、又は所定の圧力下の静電容量を検出したりする目的で用いられる。
【００２７】
図２に示すように、歪みゲージ６０は、２つの絶縁電極体２０を支持している平板２１に取り付けられている。したがって歪みゲージ６０も、体脂肪測定具１０の筐体内に、他の部材とともに一体的に収容されている。歪みゲージ６０は、平板２１の二つの面のうち、絶縁電極体２０が取り付けられている面２１ａ及び絶縁電極体２０が取り付けられていない面２１ｂのどちらに設けても良く、両面に設けても良い。また、歪みゲージ６０は１つでも良いが、図１又は図２のように４つ用いることにより、その４倍の出力が得られるため、感度が４倍になる。本実施形態では歪みゲージ６０が４つ（表裏２つずつ）の場合について説明する。平板２１の各面に設けられている各歪みゲージ６０は、平板２１を平面視した場合に同位置に設けられている。平板２１の一方の面２１ａにおいて歪みゲージ６０は、絶縁電極体２０に近接して位置している。歪みゲージ６０と絶縁電極体２０との間の距離は好ましくは１０〜１００ｍｍ、更に好ましくは２０〜５０ｍｍに設定されている。
【００２８】
絶縁電極体２０を動物の体の一部に押し当てることで、該絶縁電極体２０が撓む量と平板２１の弾性係数から絶縁電極体２０の押し当ての圧力を知ることができる。歪みゲージ６０は、絶縁電極体２０を支持する平板２１の両面に取り付けられているので、絶縁電極体２０の押し当ての圧力を極めて正確に測定することができる。このことは、絶縁電極体２０の押し当ての圧力を容易に一定にできたり、所定の押し当て圧力下の静電容量を容易に得ることができることを意味している。絶縁電極体２０の押し当ての圧力を一定にできたり、所定の押し当て圧力下の静電容量を容易に得られることは、体脂肪の測定の精度を高めることに大きく寄与する。
【００２９】
各歪みゲージ６０は、体脂肪測定具１０の筐体内に備えられた歪み算出部１５に電気的に接続されている。歪み算出部１５は、電源部１３から電気の供給を受け、中央制御部１２からの指令によって、各歪みゲージ６０で測定された絶縁電極体２０の撓み量に基づき絶縁電極体２０の押し当ての圧力を算出する。歪み算出部１５は、そのような算出が可能な電子回路から構成されている。歪み算出部１５は、例えば増幅器、ホイートストーンブリッジ回路及び検出器を備えたブリッジボックスからなる。このブリッジボックスにおいては、上述した４つの歪みゲージ６０を備えたホイートストーンブリッジ回路によって検出された出力と、歪みゲージ６０のゲージ率から歪みを算出することができる。また、その歪みと、平板２１の弾性率とに基づき、押し付け圧を算出することができる。先に述べたとおり、歪みゲージ６０は平板２１の各面に取り付けられているので、歪み算出部１５で算出される圧力は、該平板２１が面２１ｂ側へ撓む場合の圧力、又は面２１ａ側に撓む場合の圧力である。算出された圧力は、例えば表示部５０に表示されるようになっている。
【００３０】
本実施形態では４つの歪みゲージ６０を用いているが、歪みゲージ６０の使用数はそれに限られず、例えば１〜３個又は５個以上の歪みゲージ６０を用いてもよい。要するに歪みゲージ６０は少なくとも１つ用いればよい。なお、歪みゲージ６０を４つ（又は４の倍数の個数）用いない場合であっても、ホイートストーンブリッジ回路を構成することができる。この場合には、ホイートストーンブリッジ回路における歪みゲージ６０以外の抵抗素子として、例えば値が既知の固定抵抗を用いればよい。
【００３１】
以上の構成を有する本実施形態の体脂肪測定具１０を用いた動物の体脂肪の測定方法について説明すると、体脂肪測定具１０における２つの絶縁電極体２０を、動物の体の一部に押し当てる。絶縁電極体２０を押し当てる部位は、動物の胴体部の肩甲骨から腸骨までの間で体側側から見た胴体の背部側半分の範囲（特に犬の場合に好ましい）、あるいは左右肩胛骨の間（特に猫の場合に好ましい）であることが、動きのある動物においても測定がし易い点、静電容量値と体脂肪率の相関性が高い点等から好ましい。
【００３２】
犬の体脂肪を測定する場合を例にとると、図３（ａ）に示すように、体脂肪測定具１０の絶縁電極体２０を、犬の胴体部で肩甲骨か腸骨までの間で体側側から見た胴体の背部側半分の範囲で、犬の最後肋骨周囲部に押し付けるように使用することが好ましい。また、例えば図３（ｂ）に示すように、背骨の正中線と好ましくは３０ｍｍ程度平行にずらした位置において、正中線と平行に２つの絶縁電極体２０が並ぶように該絶縁電極体２０を押し付けて使用することもできる。あるいは、図３（ｃ）に示すように、背骨の正中線と直交する方向と平行に２つの絶縁電極体２０が並ぶように該絶縁電極体２０を押し付けて使用することもできる。
【００３３】
上述のいずれの測定態様の場合においても、測定の精度を高める観点から、歪みゲージ６０によって測定された絶縁電極体２０の押し付け圧が所定の範囲内となる状態下に測定を行うことが好ましい。特に、押し付け圧が２０〜２００ｇ／ｃｍ2、とりわけ１００〜２００ｇ／ｃｍ2の状態下に測定を行うと、個体差、例えば被毛の量の程度にかかわらず、体脂肪の測定を精度良く行い得るので好ましい。
【００３４】
本実施形態の体脂肪測定具１０によれば、インピーダンス法を利用していた従来の体脂肪測定具による体脂肪の測定時に必要とされていた皮脂の取り除き、被毛のかきわけ、又は体表と電極との間への電解液の充填等の煩雑な作業が必要なく、絶縁電極２０を押し当てるだけで体脂肪の測定が可能という有利な効果が奏される。
【００３５】
以上、本発明をその好ましい実施形態に基づき説明したが、本発明は前記実施形態に限られない。例えば前記の実施形態の体脂肪測定具１０は、各部が筐体内に収容された一体のものであったが、これに代えて、絶縁電極体２０歪みゲージ６０を平板２１に支持してなるプローブを構成し、このプローブを、その他の部位が筐体内に収容されてなる本体部と電気的に接続した別体の構造となしてもよい。
【実施例】
【００３６】
以下、実施例により本発明を更に詳細に説明する。しかしながら本発明の範囲は、かかる実施例に制限されない。
【００３７】
〔実施例１〕
（１）重水希釈法による体脂肪率測定
家庭においてペットとして飼われている９頭のビーグル犬を対象とし、重水希釈法を用い、以下の手順で体脂肪を測定した。
まず、Burkholderらの方法（William J. Burkholder, Craig D. Thatcher  AJVR 59(8) 1998 927-937）に準じ、各ビーグル犬（個体Ｎｏ．ａ〜ｉ）の体脂肪率を正確に測定した。ただし無麻酔にて行った。頚静脈より６ｍｌ採血し、血清分離を行い、重水注入前の血清サンプルとした。次に前足静脈に翼状針を留置し、重水をシリンジに０．２ｇ／（ｋｇ体重）計り取り注入し、更にヘパリン加生理食塩水１０ｍｌを注入した。注入前後のシリンジの重量を測定し差分を重水の注入量（ＷＤ2Ｏ）ｇとした。重水の拡散時間として９０分間とった。その後再び反対の頚静脈より６ｍｌ採血し、血清分離を行い注入後の血清サンプルとした。安定同位体質量分析器（ＩＲＭＳ）にて重水濃度を分析した。注入前の血清サンプル中の濃度を（Ｃ1）ｐｐｍ、注入後の濃度を（Ｃ2）ｐｐｍ、体重を（ＢＷ）ｋｇとして下の計算式により体脂肪率を算出した。その結果を以下の表１に示す。
体脂肪率（％）＝１００−｛ＷＤ2Ｏ×１０5／（Ｃ２−Ｃ１）｝／０．７３２ＢＷ
【００３８】
【表１】
2010099182.tif 000003
【００３９】
（２）本発明の体脂肪測定具を用いた体脂肪率測定
図１及び図２に示す体脂肪測定具１０を組み立てた。体脂肪測定具１０における各部は、プラスチック製の筐体内にすべて収容し、一体化させた。絶縁電極体２０は銅製であり、長さ１００ｍｍ、幅２５ｍｍの長方形をしていた。２つの絶縁電極体２０を、その長手方向が一致するように並設した。絶縁電極体２０間の間隙は１０ｍｍに固定した。絶縁電極体を、図３（ｃ）に示すように、ビーグル犬の左腰背部に押し当てた。押し当て圧は１００ｇ／ｃｍ2とした。この状態下に、電圧５Ｖの交流を印加して静電容量を測定した。周波数は以下の表２に示すとおりとした。このようにして測定された静電容量と、前記の（１）で測定された重水希釈法による体脂肪率との相関係数（ｎ＝９）を求めた。その結果を以下の表２に示す。なお、体脂肪率が高いほど静電容量は小さくなるので、体脂肪率と静電容量とは一次の負の相関関係となる。したがって相関係数が−１の場合が、相関が最も高くなる。
【００４０】
【表２】
2010099182.tif 000004
【００４１】
〔実施例２〕
本発明の体脂肪測定具を用いた体脂肪率測定において、絶縁電極体２０として、長さ５０ｍｍ、幅２５ｍｍの長方形のものを用いた。２つの絶縁電極体２０を、その長手方向が一致するように並設した。絶縁電極体２０間の間隙は０．１ｍｍに固定した。以下の表３に示す交流電圧を印加して静電容量を測定した。これ以外は実施例１と同様にして、重水希釈法による体脂肪率との相関係数を求めた。その結果を以下の表３に示す。
【００４２】
【表３】
2010099182.tif 000005
【００４３】
〔実施例３〕
実施例２において、絶縁電極体２０の間隙を１０ｍｍに固定した。また、以下の表４に示す交流電圧を印加して静電容量を測定した。これ以外は実施例２と同様にして、重水希釈法による体脂肪率との相関係数を求めた。その結果を以下の表４に示す。
【００４４】
【表４】
2010099182.tif 000006
【００４５】
表２ないし表４に示す結果から明らかなように、本発明の体脂肪測定具を用いた静電容量の測定結果は、重水希釈法を用いた測定結果とよく相関していることが判る。以上の結果から、静電容量を利用した本発明の体脂肪測定具によれば、体脂肪を簡便に、かつ精度よく測定できることが判る。
【図面の簡単な説明】
【００４６】
【図１】図１は、本発明の動物用体脂肪測定具の一実施形態を示すブロック構成図である。
【図２】図１に示す体脂肪測定具における絶縁電極体付近の構成を示す模式図である。
【図３】図３（ａ）ないし図３（ｃ）は、本発明の動物用体脂肪測定具を犬に対して使用するときの説明図である。
【符号の説明】
【００４７】
１０  動物用体脂肪測定具
２０  絶縁電極体
２１  平板
３０  算定部
４０  演算部
５０  表示部
６０  歪みゲージ
【図１】
2010099182.tif 000007
【図２】
2010099182.tif 000008
【図３】
2010099182.tif 000009